(57)【特許請求の範囲】
【請求項１】
室内壁面に取り付ける背板及びこの背板の周縁に形成される周縁壁を有する下側ケースと、この下側ケースに取り外し自在に結合される上側ケースとを備えたワイヤードリモコンにおいて、
前記下側ケースの対向する周縁壁には、配線取出口に併用可能であるスリット部を設け、結合状態の前記下側ケースと上側ケースの分解作業時は、このスリット部からこの下側ケースの背板を前記上側ケースに対して反らして前記両ケースを分離させることを特徴とするワイヤードリモコン。
【請求項２】
前記下側ケースの背板に取付用ねじ孔を設けたことを特徴とする請求項１に記載のワイヤードリモコン。
【請求項３】
前記ワイヤードリモコンは、空気調和機の運転を制御するものであることを特徴とする請求項１〜２のいずれかに記載のワイヤードリモコン。
【発明の詳細な説明】
【０００１】
【発明の属する技術分野】
本発明は、室内壁面や柱等に取り付けられるワイヤードリモコンに関するものである。
【０００２】
【従来の技術】
一般に、空気調和機等に使用されるワイヤードリモコン（以下リモコンという）は、空気調和機設置時に室内壁面や柱等に取り付けられる。図７、図８は、従来のリモコンの一例を示している。
【０００３】
図７、８において、リモコン５１の本体５１Ａは、上側ケース５２と、下側ケース５３と、上側ケース５２の上面を覆う扉５４とから構成され、双方のケース５２、５３には、これらケース５２、５３を結合する複数の係止部５６、５６、５７、５７が備えられている。
【０００４】
上側ケース５２の正面側には、空気調和機の運転を操作する操作スイッチ等が設けられた正面パネル５８を有し、下側ケース５３の背面には背板６０を有し、背板６０にはリモコン本体５１Ａを室内壁面に取り付けるための取付用ねじ孔５９、５９が設けられている。
【０００５】
係止部５６は、例えば、上側ケース５２に係止爪５６ａ、下側ケース５３に係止凹部５６ｂが形成され、係止爪５６ａと係止凹部５６ｂとで双方のケース５２、５３を結合する。なお、双方のケース５２、５３は、わずかな変形に対しては弾性変形可能な樹脂等の素材で作られている。
【０００６】
リモコン本体５１Ａは、例えば、室内壁面に取り付けられて使用されるので、このリモコン本体５１Ａを取り付ける際には、下側ケース５３のみを室内壁面の取付位置に合わせ、ねじ孔５９を介して木ねじで固定する。その後、下側ケース５３に上側ケース５２を嵌め込んで結合する。これにより、室内壁面取付用のねじが上側ケース５２に覆われ、リモコン本体５１Ａが室内壁面に固定される。ねじの頭が見えないので、リモコン５１の外観が良い。
【０００７】
【発明が解決しようとする課題】
ところが、リモコン本体５１Ａは、取付前（工場出荷時）には上側ケース５２と下側ケース５３とが結合して組み立てられており、梱包を開き室内の壁面への取り付けに当たって、まず、リモコン本体５１Ａを分解して下側ケース５３をリモコン本体５１Ａから分離する必要がある。
【０００８】
このリモコン本体５１Ａの分解作業において、気をつけないと、図８に示すように、リモコンケース５２、５３に亀裂Ｋを発生させたり、傷を付けたりすることがある。
【０００９】
この亀裂Ｋをなくすため、リモコン本体１Ａの係止部５６の嵌め込みを緩めにして外し易くすると、設置前の輸送時や通常の使用時の組立状態において、双方のケース５２、５３の結合が外れる可能性があり、逆に係止部５６の嵌め込みを強固にしすぎると、分解作業の際、亀裂Ｋを生じたり傷を付け易くなるという問題があった。
【００１０】
本発明は上述のような従来の問題点に鑑みてなされたものであり、リモコンケースの分解作業を容易にして、亀裂の生じにくく傷の付きにくいワイヤードリモコンを提供することを目的とする。
【００１１】
【課題を解決するための手段】
上記目的を達成するために、請求項１記載の発明は、室内壁面に取り付ける背板及びこの背板の周縁に形成される周縁壁を有する下側ケースと、この下側ケースに取り外し自在に結合される上側ケースとを備えたワイヤードリモコンにおいて、前記下側ケースの対向する周縁壁には、配線取出口に併用可能であるスリット部を設け、結合状態の前記下側ケースと上側ケースの分解作業時は、このスリット部からこの下側ケースの背板を前記上側ケースに対して反らして前記両ケースを分離させることを特徴とする。
【００１３】
請求項２に記載の発明は、請求項１に記載のワイヤードリモコンにおいて、下側ケースの背板に取付用ねじ孔を設けたことを特徴とする。
【００１４】
請求項３に記載の発明は、請求項１〜２のいずれかに記載のワイヤードリモコンにおいて、前記ワイヤードリモコンは、空気調和機の運転を制御するものであることを特徴とする。
【００１６】
【発明の実施の形態】
以下、本発明の一実施形態を図１〜図６の図面に基づいて説明する。
【００１７】
図６は本発明の一実施形態おけるワイヤードリモコンと空気調和機との関係を示す説明図である。図６において、７０は空気調和機であり、室内ユニット７１、室外ユニット７２、および配管７３等から構成される。１はワイヤードリモコン（以下、単にリモコンという）で、リモコンコード７４を介して室内ユニット７１に接続されており、このリモコン１の操作において、空気調和機７０の運転が制御される。
【００１８】
図１は本発明の一実施形態における空気調和機のワイヤードリモコンの外観斜視図、図２は図１のリモコンの上側ケースと下側ケースとを示す分解斜視図、図３は図１のリモコンケースの分解作業中を示す斜視図、図４は図３の側面図、図５は図４のスリット部を示す斜視図である。
【００１９】
図１、図２において、リモコン１の本体１Ａは、奥行き寸法の小さい箱形をしており、上側ケース２と、下側ケース３と、上側ケース２の正面側をカバーする扉４とを備えている。なお、上側ケース２と下側ケース３は、わずかな変形に対しては弾性変形可能な樹脂等の素材で作られている。
【００２０】
上側ケース２は、リモコン１に接続される空気調和機の設定操作をする操作スイッチ類や、空気調和機の運転状態を表示する表示部が配置された正面パネル５を有し、この正面パネル５の周縁には下側ケース３側に延びる上壁６、左右の側壁７、８、及び下壁９が形成されている。上壁６、上壁６寄りの両側壁７、８、及び下壁９には、下側ケース３に結合する係止爪１３ａ、１４ａ、１５ａ、１６ａが形成されている。
【００２１】
下側ケース３は、背板１８を有し、この背板１８には、リモコン本体１Ａを室内壁面にねじ止め固定するための取付用ねじ孔１０が２ヶ所設けられている。また、この背板１８の周縁には上側ケース２側に延びる上壁２１、左右の側壁２２、２３、及び下壁２４が形成されている。上壁２１、及び上壁２１寄りの両側壁２２、２３には、前記係止爪１３ａ、１４ａに対応する位置に係止凹部１３ｂ、１４ｂが形成され、下壁２４には、上側ケース２の係止爪１５ａ、１６ａに対応する位置に係止孔１５ｂ、１６ｂが形成されている。
【００２２】
上側ケース２の係止爪１３ａ、１４ａ及び下側ケース３の係止凹部１３ｂ、１４ｂ（係止部１３、１４）でリモコン本体１Ａの側部が係止され、上側ケース２の係止爪１５ａ、１６ｂ及び下側ケース３の係止孔１５ｂ、１６ｂ（係止部１５、１６）でリモコン本体１Ａの下部が係止され、上側ケース２が下側ケース３に取り外し自在に結合される。係止部１３、１４はリモコン本体１Ａの外側から外すことができ、係止部１５、１６はリモコン本体１Ａの内側から外すようになっている。なお、側部の係止部１３、１４は、扉４の開閉動作に伴い上側ケース２と下側ケース３との嵌め込みが緩むのを防止している。
【００２３】
下側ケース３の両側壁２２、２３の略中央部の対向する位置には、それぞれ所定長さに壁厚を薄くした配線取出し部２５、２５が形成されている。これら配線取出し部２５、２５は、壁厚の薄い部分をニッパー等の工具で切り取ることにより、リモコンコード７４の取出し口として使用することができる。
【００２４】
また、配線取出し部２５には、図４及び図５に示すように、その中央部にＶ字形のスリットを有するスリット部２６が形成され、側壁２２、２３を縦方向に分割している。
【００２５】
扉４は、操作スイッチ類の上側をカバーし、上側ケース２の右側の縁に枢着して回動自在に取り付けられ、図１に示すように、上側ケース２の右側の縁を中心にして１８０度回動するようになっている。そして、この扉４を閉めたときには、上側ケース２の左側の縁と扉４の左側の縁とが係止されるようになっている。
【００２６】
以上のように構成されたリモコン本体１Ａにおいて、上側ケース２と下側ケース３とを分解する場合、下側ケース３の係止孔１５ｂ、１６ｂにリモコン本体１Ａの外側からドライバー等を差し入れ、係止爪１５ａ、１６ａを内側に押して係止部１５、１６の結合を外す。次に、下側ケース３の下側の縁を反上側ケース側に反らし、下壁９と下壁２４との間に隙間をつくる。係止部１３、１４が係止されているので、下壁９と下壁２４の隙間から工具を差し込んで係止部１３、１４の結合を外し、上側ケース２と下側ケース３との結合を外す。これにより、係止部１３、１４の結合が外れ、上側ケース２と下側ケース３とを分離することができる。
【００２７】
この分解作業において、側壁２２、２３にスリット部２６、２６を設けたことにより、下側ケース３は、背板１８のみ曲げて反らすことになるので、下側ケース３が反り易くなって下側ケース３（特に側壁２２、２３）に亀裂や破損が生じにくくなる。
【００２８】
また、下側ケース３を反りやすくして分解しやすくしたことにより、係止部１３、１４、１５、１６の嵌め込みを緩くする必要がなく、リモコン本体１Ａの組立状態（空気調和機の輸送時または通常の使用時）において、双方のケース２、３が確実に結合される。
【００２９】
また、スリット部２６を、配線取出し部２５と兼用にしているので、配線取出し部２５の切り取り作業の際には、その加工を容易にすることができる。
【００３０】
以上、一実施形態に基づいて本発明を説明したが、本発明はこれに限定されるものではない。
【００３２】
以上説明したように、室内壁面に取り付ける背板及びこの背板の周縁に形成される周縁壁を有する下側ケースと、この下側ケースに取り外し自在に結合される上側ケースとを備えたワイヤードリモコンにおいて、前記下側ケースの対向する周縁壁には、配線取出口に併用可能であるスリット部を設け、結合状態の前記下側ケースと上側ケースの分解作業時は、このスリット部からこの下側ケースの背板を前記上側ケースに対して反らして前記両ケースを分離させようにしたので、リモコンの分解作業において、亀裂ができにくく、傷の付きにくい構造のリモコンを提供することができる。
【図面の簡単な説明】
【図１】本発明の一実施形態における空気調和機のワイヤードリモコンの外観斜視図である。
【図２】図１のリモコンの上側ケースと下側ケースを示す斜視図である。
【図３】図１のリモコンケース間に隙間を開けた状態を示す斜視図である。
【図４】図３の側面図である。
【図５】図４のスリット部を示す斜視図である。
【図６】図１のリモコンと空気調和機との関係を示す説明図である。
【図７】従来のリモコン本体の斜視図である。
【図８】従来のリモコンケース分解作業中を示す側面図である。
【符号の説明】
１  ワイヤードリモコン
２  上側ケース
３  下側ケース
５  正面パネル
６  上壁（周縁壁）
７、８  側壁（周縁壁）
９  下壁（周縁壁）
１０  取付用ねじ孔
１８  背板
２１  上壁（周縁壁）
２２、２３  側壁（周縁壁）
２４  下壁（周縁壁）
２５  配線取出し部（配線取出し口）
２６  スリット部
【図１】
0004922501.tif 000002
【図２】
0004922501.tif 000003
【図３】
0004922501.tif 000004
【図４】
0004922501.tif 000005
【図５】
0004922501.tif 000006
【図６】
0004922501.tif 000007
【図７】
0004922501.tif 000008
【図８】
0004922501.tif 000009